(57)【要約】【課題】  複雑な電気的、機械的構成を用いず、高所作業車のバケット内における作業員の安全帯の掛け忘れの問題を解消することができる高所作業車用安全垂れ幕および墜落災害防止方法を提供する。  【解決手段】  表面５ａに安全帯３の使用を促す言葉が表記され、裏面５ｂには安全帯３の使用を表す言葉が表記された垂れ幕５であって、前記垂れ幕５の頂部が高所作業車のバケット１の所定の位置に取り付けられたことを特徴とする高所作業用安全垂れ幕。【選択図】  図３
2016060571.tif 000002
【特許請求の範囲】
【請求項１】
表面に安全帯の使用を促す言葉が表記され、裏面には安全帯の使用を表す言葉が表記された垂れ幕であって、
前記垂れ幕の頂部が高所作業車のバケットの所定の位置に取り付けられた
ことを特徴とする安全垂れ幕。
【請求項２】
請求項１に記載の垂れ幕を用いる墜落災害防止方法であって、
前記バケットに搭乗した作業員が安全帯を使用するまでは、前記バケットの内側から前記垂れ幕の表面が視認可能な状態で該垂れ幕を掲示し、
前記作業員が安全帯を使用した以降は前記垂れ幕を裏返し、前記高所作業車の外側から該垂れ幕の裏面が視認可能な状態にする
ことを特徴とする墜落災害防止方法。
【発明の詳細な説明】
【技術分野】
【０００１】
本発明は、高所作業に使用されるバケットに搭乗した作業員の安全を確保するために、搭乗した作業員が安全帯のフックをバケット内に掛け忘れないようにするための垂れ幕に関するものである。
【背景技術】
【０００２】
高所作業においては、作業員の安全性を確保するために、落下防止用のロープ等へ安全帯を掛けることが義務化されている。高所作業車を用いた場合においても、高所作業車のバケットに搭乗した作業員は、バケット内の落下防止用胴綱環等に、腰に着用した安全帯を掛けなければならないことになっている。
【０００３】
しかし、掛け忘れによる転落により作業員が死亡する事故が発生した事例もあり、安全帯の掛け忘れを防止する目的で、各社独自の安全点検基準等を策定して事故防止に努めている。
【０００４】
安全帯の掛け忘れ防止措置として、現在までに複数の装置が考案されている。たとえば、「安全フックスイッチャー」や「安全帯ロープ取付け確認装置」がある。前者は、安全帯フックをバケット内の胴綱環に掛止しなければバケットを上げ下げするブームを作動させる油圧ニットや電気系統が作動せず、バケットの操作ができないようにした装置である。後者は、光電センサーで安全帯のフックの掛止を検出するものであり、安全帯フックを掛けるとバケットの通常動作が可能となり、安全帯のフックを掛けないと前者と同様にバケット自体の操作ができないようにしたものである。
【０００５】
前述した安全点検基準等は、安全教育等によって作業員の意識改革を徹底して行わない限り、事故の再発を防ぐことはできない。さらに、安全帯の掛け忘れ防止装置は、いずれも装置の構造が電気的、機械的に複雑である。
【発明の概要】
【発明が解決しようとする課題】
【０００６】
本発明は、上記する問題に鑑みてなされたものであり、複雑な電気的、機械的構成を用いず、高所作業車のバケット内における作業員の安全帯の掛け忘れの問題を解消することができる高所作業車用安全垂れ幕および墜落防止方法を提供することを目的とする。
【課題を解決するための手段】
【０００７】
前記目的を達成すべく、本発明による高所作業車用安全垂れ幕は、表面に安全帯の使用を促す言葉が表記され、裏面には安全帯の使用を表す言葉が表記された垂れ幕であって、前記垂れ幕の頂部が高所作業車のバケットの所定の位置に取り付けられたことを特徴とする。
【０００８】
また、前記垂れ幕を用いる墜落防止方法であって、前記バケットに搭乗した作業員が安全帯を使用するまでは、前記バケットの内側から前記垂れ幕の表面が視認可能な状態で該垂れ幕を掲示し、前記作業員が安全帯を使用した以降は前記垂れ幕を裏返し、前記高所作業車の外側から該垂れ幕の裏面が視認可能な状態にすることを特徴とする。
【発明の効果】
【０００９】
以上の説明から理解できるように、本発明の高所作業車用安全垂れ幕の使用方法によれば、高所作業車のバケットに搭乗する作業員の安全帯の掛け忘れを防止することができるとともに、安全帯使用中は、高所作業車の周囲にいる関係者が、該作業員が該バケット内で安全帯を使用していることを明確に知ることができる。逆に、安全帯を使用している旨の記載がなされた前記垂れ幕の裏面が前記バケットの外側に裏返されていなければ、前記関係者は、該バケット内の作業員に安全帯を使用する旨の注意を促すことができる。したがって、複雑な電気的、機械的な構成を用いずとも、高所作業車を用いたバケット内の高所作業において、安全・確実に安全帯の掛け忘れを防止することが可能となる。
【図面の簡単な説明】
【００１０】
【図１】本発明の高所作業車のバケットの平面図である。
【図２】本発明の高所作業車のバケットの内側の所定の位置に安全垂れ幕を掛けた状態を示す側面図である（Ａ−Ａ断面図）。
【図３】本発明の安全垂れ幕を高所作業車のバケットの外側へ裏返した状態を示す側面図である（Ｂ−Ｂ断面図）。
【発明を実施するための形態】
【００１１】
以下、図面を参照して本発明の高所作業車用安全垂れ幕の使用方法の実施形態を説明する。
【００１２】
図１は、本発明の高所作業車用安全垂れ幕の使用方法のうち、高所作業車のバケットの平面図を示したものである。バケット１には、安全帯３を腰に取り付けた作業員２が搭乗している。バケット１には、安全帯３をバケット１に固定するための胴綱環４がバケット１に一体に所定の位置に設けられている。また、バケット１の所定の位置には、安全垂れ幕５の一端が固定されている。
【００１３】
安全帯３は、作業員２の腰に固定するベルト３ａと、フック３ｃと、ベルト３ａとフック３ｃとを連結するロープ３ｂとを具備する。ベルト３ａは、皮製やナイロン製等であって、作業員２のウエストサイズに適合するように長さを調整できるものである。フック３ｃは、金属性であり、所定の場所に掛止でき、その掛止が外れないように、外れ防止機能が備えられている。ロープ３ｂは、バケット１内の作業員２の作業に伴う移動範囲を拘束しないように、伸縮自在で柔軟な素材であるナイロンで製作されている。安全帯３の各部は、作業員２がバケット１から落下した際に作用する衝撃荷重に対し、十分な強度を有するものである。
【００１４】
図２は、本発明の高所作業車のバケット１の内側の所定の位置に安全垂れ幕５を掛けた状態を示す側面図である（Ａ−Ａ断面図）。この状態では、作業員２は未だ安全帯３を胴綱環４に掛けておらず、作業員２に安全帯３の使用を促すために、安全垂れ幕５の表面５ａには、「安全帯を使用せよ！」とバケット１に搭乗した作業員２に対し、安全帯３の使用を促す旨の注意書きが記載されている。安全垂れ幕５の長さは、当該注意書きが完全に読み取れるように、バケット１の安全垂れ幕５の取付け位置からバケットの底部にかかる長さ程度が良い。
【００１５】
図３は、本発明の安全垂れ幕を高所作業車のバケットの外側へ裏返した状態を示す側面図である（Ｂ−Ｂ断面図）。作業員２は、胴綱環４に安全帯３を掛けた後に、安全垂れ幕５をバケット１の外側に裏返している。したがって、高所作業車の周囲にいる関係者に対して、バケット１内の作業員２が安全帯３を使用していることを周知するために、安全垂れ幕５の裏面５ｃには、「安全帯を使用中！」と記載している。
【００１６】
図示する高所作業車用安全垂れ幕の使用方法によれば、複雑な電気的、機械的な構成を用いずとも、高所作業車を用いたバケット１内の高所作業において、安全・確実に安全帯の掛け忘れを防止することが可能となる。
【符号の説明】
【００１７】
１    バケット
２    作業員
３    安全帯
３ａ  ベルト
３ｂ  ロープ
３ｃ  フック
４    胴綱環
５    安全垂れ幕
５ａ  安全垂れ幕の表面
５ｂ  安全垂れ幕の裏面
【図１】
2016060571.tif 000003
【図２】
2016060571.tif 000004
【図３】
2016060571.tif 000005